(57)【要約】【課題】  開口の口縁部に受部を設けておき、前倒れ姿勢から閉動してきたトレイドアの当り部をその受部によって受け止めさせることによって開口をトレイドアで閉じるという構成を採用したにもかかわらず、筐体の前面壁の内側でトレイドアを回動可能に支持させるという組立作業を容易に行うことができるようにする。【解決手段】  筐体１０の前面壁３１にディスクトレイ５１が出退する開口３２と、その開口を開閉するトレイドア６とを取り付ける。トレイドア６を、トレイパネル７と、このトレイパネル７を装着するパネル取付部８１を有するパネル支持体８とに分割して構成する。パネル支持体８を前面壁３１の内側からの作業で取り付け、前面壁３１の外側からの作業でトレイパネル７をパネル支持体８のパネル取付部８１に装着する。【選択図】        図４
2006114136.tif 000002
【特許請求の範囲】
【請求項１】
ディスク搬入出用のディスクトレイを備えたディスク装置本体を収容している筐体の前面壁に上記ディスクトレイが出退される開口と、その開口を閉じる起立姿勢とその開口を開く前倒れ姿勢との間で開閉動可能に上記前面壁の内側に取り付けられたトレイドアとを備え、そのトレイドアが閉動方向に常時弾発付勢されているディスク装置において、
上記開口が、横方向の口端縁部に傾斜縁を有する下窄まり形状に形成されていて、その周囲壁の全周部分からその開口の内側に張り出した環状の縁枠を有しているのに対し、上記トレイドアが、上記開口を開閉するトレイパネルと、このトレイパネルが装着されるパネル取付部及びこのパネル取付部に連設されて上記前面壁の内側の上記傾斜縁の下側箇所でその前面壁に回動可能に取り付けられたアームを有するパネル支持体とに分割されていて、上記トレイパネルの装着された上記パネル取付部が上記開口を通過可能な形状及び大きさに形成され、
上記縁枠と上記周囲壁とは、上記トレイドアが前倒れ姿勢から閉動してきたときに上記トレイパネルの周縁部を収容する入隅状の凹所を形成していて、上記トレイパネルは、上記トレイドアが前倒れ姿勢から閉動してきたときに、上記開口の縁枠の全体によって形成された受部により受け止められる当り部を有し、
上記アームは、上記トレイドアが開動して前倒れ姿勢になったときに上記傾斜縁を跨いで上記開口の前側に突出する曲り形状に形成され、かつ、その外側面に上記傾斜縁との干渉を回避するための肉盗み箇所を形成することによって小形化されていることを特徴とするディスク装置。
【請求項２】
ディスク搬入出用のディスクトレイを備えたディスク装置本体を収容している筐体の前面壁に上記ディスクトレイが出退される開口と、その開口を閉じる起立姿勢とその開口を開く前倒れ姿勢との間で開閉動可能に上記前面壁の内側に取り付けられたトレイドアとを備え、そのトレイドアが閉動方向に常時弾発付勢されているディスク装置において、
上記トレイドアが、上記開口を開閉するトレイパネルと、このトレイパネルが装着されるパネル取付部及びこのパネル取付部に連設されて上記前面壁の内側で回動可能に取り付けられたアームを有するパネル支持体とに分割されていて、上記トレイパネルの装着された上記パネル取付部が上記開口を通過可能な形状及び大きさに形成され、上記トレイパネルは、上記トレイドアが前倒れ姿勢から閉動したときに上記開口の口縁部に設けられた受部によって受け止められる当り部を有することを特徴とするディスク装置。
【請求項３】
上記開口の周囲壁から内側に張り出された縁枠によって上記受部が形成されていると共に、その縁枠と上記周囲壁とは、上記トレイドアが前倒れ姿勢から閉動してきたときに上記トレイパネルの周縁部を収容する入隅状の凹所を形成している請求項２に記載したディスク装置。
【請求項４】
上記開口は、横方向の口端縁部に傾斜縁を有する下窄まり形状に形成されていて、上記アームが、上記傾斜縁の下側箇所で上記前面壁に回動可能に取り付けられていると共に、上記トレイパネルが開動して前倒れ姿勢になったときに上記傾斜縁を跨いで上記開口の前側に突出する曲り形状に形成されている請求項２又は請求項３に記載したディスク装置。
【発明の詳細な説明】
【技術分野】
【０００１】
本発明は、ディスク装置、特に、筐体の前面壁にディスクトレイが出退される開口を備えていて、その開口に開閉用のトレイドアが装備されているディスク装置に関する。
【背景技術】
【０００２】
筐体にローダとしてのディスク装置本体が収容されていて、そのディスク装置本体のディスクトレイが筐体の前面壁（一般的にはフロントパネルの前面壁）に具備された開口を通じて出退するようになっているディスク装置は従来より知られている（たとえば特許文献１、特許文献２、特許文献３参照）。そして、これらの各特許文献には、ディスクトレイが開口の内側に後退しているときに上記開口を閉じるトレイドアに相当する部材についての記載がある。
【０００３】
このうち、特許文献１及び特許文献２に記載されているものは、ディスクトレイの前端にトレイパネル又はドアと称されているトレイドアを装着したものであり、ディスクトレイが開口から突出したときには、トレイドアがディスクトレイと共に開口の前方に移動し、ディスクトレイが開口から筐体の内部に後退したときには、トレイドアが開口に嵌まり込んでその開口を閉じるようになっている。これに対し、特許文献３に記載されているものは、フロントパネルに具備させた出入口と称されている横長矩形の開口にドアと称されているトレイドアを開閉揺動可能に配備すると共に、このトレイドアを常時閉動方向にトーションばねの力で弾発付勢している。また、この特許文献３のものでは、トレイドアが開口に嵌まり込んでその開口を閉じるようになっている。
【０００４】
特許文献１や特許文献２に記載されているようなディスク装置、すなわちディスクトレイの前端にトレイドアを取り付けたディスク装置では、筐体に対するディスク装置本体の取付精度のばらつきや、ディスクトレイの出退動作の位置ずれなどに起因して、ディスクトレイが開口から筐体の内部に後退したときに、筐体の前面壁の開口に対してトレイドアが位置ずれするという事態が起こりやすく、トレイドアが開口を閉じたときの外観を良好に保つことのためには、ディスク装置本体の取付精度やディスクトレイの出退動作状態の管理に苦労を伴うものであった。
【０００５】
これに対し、特許文献３に記載されているようなディスク装置、すなわちフロントパネルに直接にトレイドアを取り付けたものでは、フロントパネルの開口に対するトレイドアの位置合わせに関して、上記したようなディスク装置本体の取付精度のばらつきやディスクトレイの出退動作の位置ずれに起因する要素が排除されているので、開口を閉じたときのトレイドアの位置をその開口に合わせて外観を良好に保つことが容易である。
【特許文献１】特開２００４−１１０９２７号公報
【特許文献２】特開２００４−３９２１７号公報
【特許文献３】特開２００３−２４９０７１号公報
【発明の開示】
【発明が解決しようとする課題】
【０００６】
ところで、特許文献３に記載されているディスク装置では、フロントパネルの開口にトレイドアが嵌まり込んでその開口が閉じられ、しかも、その開口に嵌まり込んだトレイドアが係止部とロックレバーとの作用によってロックされるようになっていて、そのトレイドアは、出入口としての上記開口を通過可能な大きさ及び形状に形成されている。この構成であれば、フロントパネルの内側で横軸の回りにトレイドアを回動可能に支持させる場合に、フロントパネルの内側からの組立作業だけを行ってトレイドアを取り付けることができ、取付け後には、トレイドアが開口に嵌まり込む位置とその外側に開動して前倒れ姿勢になる位置との間で適正に開閉動可能となる。
【０００７】
しかし、このようにフロントパネルの内側からの組立作業だけを行ってトレイドアを取り付けられるようにしたものでは、トレイドアが開口を通過可能な大きさ及び形状に形成されていることが不可欠であるため、閉時に開口に嵌まり込んだトレイドアが内外方向に位置ずれしないようにするための手段を余分に設ける必要があり、それだけ部品点数が増えて部品コストが高く付き、その手段の組立にも手間がかかるようになる。特許文献３のものでは、その手段がトレイドア側に設けられた上記係止部とフロントパネル側に設けられた上記ロックレバーとによって形成されている。
【０００８】
そこで、筐体のフロントパネルの前面壁に備わっている開口の口縁部に、内向きに突出する受部を形成しておき、トレイドアが前倒れ姿勢から閉動して開口に嵌まり込んだときには、そのトレイドアに具備させた当り部が上記受部により受け止められて閉位置に位置決めされるようにすることが考えられる。この構成を採用すると、特許文献３に見られるような係止部やロックレバーを余分に設ける必要がないので、それだけ部品点数や組立工数が削減されるという利点がある。
【０００９】
しかしながら、このものにおいて、上記受部を開口の口縁部の全体に亘る環状の縁枠によって形成し、そのような受部がトレイドアの当り部を受け止めてトレイドアを位置決めする構成を採用することによってフロントパネルの開口形成箇所やトレイドアの外観デザインを良好に仕上げると、上記縁枠によって形成される受部がじゃまになってトレイドアを開口に通過させることができなくなる。そのため、フロントパネルの内側でトレイドアを回動可能に取り付けるという組立作業をフロントパネルの外側からの作業で行わざるを得なくなり、その組立作業が困難又は不可能になる。
【００１０】
本発明は以上の状況に鑑みてなされたものであり、筐体の前面壁に設けられる開口の口縁部に受部を設けておき、前倒れ姿勢から閉動してきたトレイドアの当り部をその受部によって受け止めさせることによって開口をトレイドアで閉じるという構成を採用しているにもかかわらず、筐体の前面壁の内側でトレイドアを回動可能に支持させるという組立作業を容易に行うことのできるディスク装置を提供することを目的とする。
【００１１】
また、本発明は、トレイドアが前倒れ姿勢から閉動してきたときに、トレイドアが開口に収まりよく収容されるような対策を講じることによって、トレイドアによって閉じられた開口の形成箇所の外観デザインを良好に仕上げることのできるディスク装置を提供することを目的とする。
【００１２】
さらに本発明は、開口を下窄まり形状としてその開口のデザインに斬新性を持たせた場合でも、トレイドアが小形化されてそのトレイドアの設置スペースが狭くて済むような対策を講じることによって、トレイドアの設置によってディスク装置の全体形状が大型化することを回避することのできるディスク装置を提供することを目的とする。
【課題を解決するための手段】
【００１３】
本発明に係るディスク装置は、ディスク搬入出用のディスクトレイを備えたディスク装置本体を収容している筐体の前面壁に上記ディスクトレイが出退される開口と、その開口を閉じる起立姿勢とその開口を開く前倒れ姿勢との間で開閉動可能に上記前面壁の内側に取り付けられたトレイドアとを備え、そのトレイドアが閉動方向に常時弾発付勢されている。そして、上記トレイドアが、上記開口を開閉するトレイパネルと、このトレイパネルが装着されるパネル取付部及びこのパネル取付部に連設されて上記前面壁の内側で回動可能に取り付けられたアームを有するパネル支持体とに分割されていて、上記トレイパネルの装着された上記パネル取付部が上記開口を通過可能な形状及び大きさに形成され、上記トレイパネルは、上記トレイドアが前倒れ姿勢から閉動したときに上記開口の口縁部に設けられた受部によって受け止められる当り部を有する。
【００１４】
この構成であれば、パネル支持体を、筐体の前面壁の内側からの組立作業で組み立てて前面壁の内側で回動可能に支持させることが容易に可能である。これに対し、トレイパネルは、開口の口縁部の受部にじゃまされてその開口を通過させることのできない大きさ及び形状に形成されている場合であっても、そのトレイパネルを前面壁の外側からパネル支持体のパネル取付部に装着することが可能である。そして、パネル支持体のパネル取付部が開口を通過可能な形状及び大きさに形成されているので、組立て後には、トレイドアが開口を閉じる起立姿勢とその開口を開く前倒れ姿勢との間で開閉動可能となる。
【００１５】
本発明では、上記開口の周囲壁から内側に張り出された縁枠によって上記受部が形成されていると共に、その縁枠と上記周囲壁とは、上記トレイドアが前倒れ姿勢から閉動してきたときに上記トレイパネルの周縁部を収容する入隅状の凹所を形成していることが望ましい。これによれば、トレイドアが前倒れ姿勢から閉動してきたときに、トレイドアが開口に収まりよく収容されるようになって、トレイドアによって閉じられた開口の形成箇所の外観デザインを良好に仕上げることが容易である。
【００１６】
本発明において、上記開口は、横方向の口端縁部に傾斜縁を有する下窄まり形状に形成されていて、上記アームが、上記傾斜縁の下側箇所で上記前面壁に回動可能に取り付けられていると共に、上記トレイパネルが開動して前倒れ姿勢になったときに上記傾斜縁を跨いで上記開口の前側に突出する曲り形状に形成されている、という構成を採用することが可能である。この構成であれば、開口が下窄まり形状とされてその開口のデザインに斬新性が付与されていても、アームが上記した曲り形状に形成されていることによって、アームを徒に長くしなくてもトレイドアの開閉動が支障なく行われるようになる。そのため、アームひいてはトレイドアの大型化が回避されてディスク装置の全体形状が大型化することを回避することが可能になる。
【００１７】
本発明に係るディスク装置は、次の構成を採用することによっていっそう具体化される。すなわち、ディスク搬入出用のディスクトレイを備えたディスク装置本体を収容している筐体の前面壁に上記ディスクトレイが出退される開口と、その開口を閉じる起立姿勢とその開口を開く前倒れ姿勢との間で開閉動可能に上記前面壁の内側に取り付けられたトレイドアとを備え、そのトレイドアが閉動方向に常時弾発付勢されているディスク装置において、上記開口が、横方向の口端縁部に傾斜縁を有する下窄まり形状に形成されていて、その周囲壁の全周部分からその開口の内側に張り出した環状の縁枠を有しているのに対し、上記トレイドアが、上記開口を開閉するトレイパネルと、このトレイパネルが装着されるパネル取付部及びこのパネル取付部に連設されて上記前面壁の内側の上記傾斜縁の下側箇所でその前面壁に回動可能に取り付けられたアームを有するパネル支持体とに分割されていて、上記トレイパネルの装着された上記パネル取付部が上記開口を通過可能な形状及び大きさに形成され、上記縁枠と上記周囲壁とは、上記トレイドアが前倒れ姿勢から閉動してきたときに上記トレイパネルの周縁部を収容する入隅状の凹所を形成していて、上記トレイパネルは、上記トレイドアが前倒れ姿勢から閉動してきたときに、上記開口の縁枠の全体によって形成された受部により受け止められる当り部を有し、上記アームは、上記トレイドアが開動して前倒れ姿勢になったときに上記傾斜縁を跨いで上記開口の前側に突出する曲り形状に形成され、かつ、その外側面に上記傾斜縁との干渉を回避するための肉盗み箇所を形成することによって小形化されている、という構成を採用することによっていそう具体化される。この発明の構成や作用は後述する実施形態を参照して詳細に説明する。
【発明の効果】
【００１８】
以上のように、本発明によれば、トレイドアを、筐体の前面壁の内側からの作業でその前面壁に取り付けることのできるパネル支持体と、前面壁の外側からの作業でそのパネル支持体のパネル取付部に装着されるトレイパネルとに分割したので、開口の口縁部に設けた受部でトレイパネルに設けた当り部を受け止めさせることによって開口をトレイドアで閉じるという構成を採用しているにもかかわらず、前面壁に対するトレイドアの組立作業を容易に行うことができるようになる。そのため、上掲の特許文献３に見られるような係止部やロックレバーといった余分の部品を設ける必要がなくなってそれだけ部品点数や組立工数が削減されて、ディスク装置を安価に提供することができるようになる。また、トレイドアのデザインを変更したいときには、トレイパネルのデザインを変更するだけで済むので、デザイン変更の自由度が増大するという利点もある。
【００１９】
また、本発明において、縁枠と開口の周囲壁とによって形作られる入隅状の凹所にトレイパネルの周縁部が収容されるという構成を採用すると、トレイドアによって閉じられた開口の形成箇所の外観デザインが良好に仕上がるという利点がある。
【００２０】
さらに、開口を下窄まり形状としてその開口のデザインに斬新性を持たせた場合には、パネル支持体のアームを曲り形状にしたりそのアームに肉盗み箇所を形成したりすることによって、アームひいてはパネル支持体やトレイドアの小形化を図ってディスク装置の全体形状の大型化を回避することが容易に可能になるという利点もある。
【発明を実施するための最良の形態】
【００２１】
図１は本発明の実施形態に係るディスク装置の外観斜視図、図２は同ディスク装置の拡大正面図、図３は同ディスク装置の主要要素を示した分解斜視図、図４はフロントパネル３とトレイドア６とを示した分解斜視図、図５はトレイドア６のパネル支持体８が取り付けられたフロントパネル３の正面図、図６はパネル支持体８のパネル取付部８１とトレイパネル７との取付部構造などを示した縦断側面図、図７はトレイドア６の動作を説明するための縦断側面図、図８はパネル支持体８のパネル取付部８１とアーム８２とを示した部分斜視図である。
【００２２】
図１又は図３によって判るように、このディスク装置は、ボトムケースとしてのシャーシ１とトップカバー２とフロントパネル３と背面板４とを合わせることによって形成される偏平箱形の筐体１０に、ローダと呼ばれるディスク装置本体５や、必要な電気電子部品を実装した各種配線基板６１，６２などを収容することによって構成されていて、ディスク装置本体５は、ディスク搬入出用のディスクトレイ５１を備えていて、このディスクトレイ５１が、フロントパネル３の前面壁（筐体の前面壁）３１に形成された開口３２を通してその前方と後方との間で出退され、開口３２の前方に突出したディスクトレイ５１に載架されたディスク（不図示）が、開口３１の後方へのディスクトレイ５１の後退によってディスク装置本体５に引き込まれて記録再生に供される。
【００２３】
上記前面壁３の内側にはトレイドア６が取り付けられ、このトレイドア６によって開口３２が開閉される。以下、このトレイドア６やその取付構造、開口３２などについて説明する。
【００２４】
図３、図５又は図７のように、開口３２は、全体として横長形状に形成されていると共に、その横方向左右の口端縁部の下側部分が傾斜縁３３として形成されて全体として正面視下窄まり形状になっている。この種の開口３２は一般的には横長矩形に形成されることが多いけれども、この実施形態では、横長下窄まり形状としてデザインに斬新性を与えている。図５又は図７のように、開口３２の周囲壁３４にはその開口３２の内側に張り出した環状の縁枠３５が連設されていて、その縁枠３５によって開口３２の外周部分が塞がれている。
【００２５】
これに対し、トレイドア６は、図３又は図４に示したようにトレイパネル７とパネル支持体８とに分割して形成されていて、これらのトレイパネル７とパネル支持体８とを組み合わせることによってトレイドア６が構成されるようになっている。
【００２６】
図５〜図８のように、パネル支持体８は、横長のパネル取付部８１とこのパネル取付部８１の横方向両端部にそれぞれ連設されているアーム８２とを一体に備えた樹脂成形体でなり、パネル取付部８１の横方向複数箇所に係止片部８３が備わっているのに対し、アーム８２には、横軸８５とばね受け突起８６とが備わっている。また、パネル取付部８１は上記開口３２の全領域のうち、縁枠３５によって取り囲まれた空間を通過可能な形状及び大きさに形成されている。そして、このパネル支持体８は、その左右の各横軸８５を、フロントパネル３の前面壁３１の内側であって上記開口３２の傾斜縁３３の下側箇所に突設された左右の各軸受片３６の軸受孔に嵌め込むことによって回動自在に取り付けられている。また、片側の横軸８５に嵌合保持させたねじりコイルばねでなるばね体８７の一端部と他端部とを前面壁３１の裏面とばね受け突起８６とに別々に係合させることにより、そのばね体８７によってパネル支持体８を開口３２の内方へ向けて付勢してある。さらに、上記アーム８２は、側面視略Ｕ字形状をなす曲り形状に形成されていて、その一端部に上記横軸８５が備わり、他端部が上記パネル取付部８１に連設されている。
【００２７】
一方、図１、図２又は図３などによって判るように、トレイパネル７は、横長下窄まり状の上記開口３２と略同じ形状であって、その開口３２に嵌まり込んだときに外周部の全体が上記縁枠３５に当たるような横長下窄まり形状に形成されていると共に、図６に示したように、上記パネル取付部８１の複数の係止片部８３に各別に係合可能なフック片７１と、そのフック片７１と共働する係合爪７２とを備えている。そして、このトレイパネル７は、フック片７１をパネル取付部８１の係止片部８３に係合させかつ係合爪７２をパネル取付部８１の下端に係合させてその係合爪７２とフック片７２とによりパネル取付部８１を挟持させることによってパネル取付部８１に装着される。
【００２８】
上記したトレイパネル７とパネル支持体８との組合せでなるトレイドア６において、パネル支持体８は、フロントパネル３の前面壁３１の内側（後側）からの組立作業で上記のように前面壁３１の内側に回動可能に取り付けられる。その反面、トレイパネル７は、前面壁３１の内側に回動可能に取り付けられたパネル支持体８のパネル取付部８１を、開口３２を通過させてその前方へ突出させた状態に定めてそのパネル取付部８１に装着される。このように、前面壁３１の内側からの組立作業でパネル支持体８を前面壁３１の内側に回動可能に取り付け、そのパネル支持体８のパネル取付部８１に、前面壁３１の外側からの組立作業でトレイパネル７を装着することによってトレイドア６を組み立てるという手順を採用すると、トレイパネル７が開口３２の口縁部に形成されている縁枠３５にじゃまされてその開口３２を通過させることのできない大きさ及び形状に形成されているとしても、トレイドア６を容易に前面壁３１の内側に回動可能に取り付けることができた。
【００２９】
こうしてトレイドア６がフロントパネル３の前面壁３１の内側に回動可能に取り付けられていると、そのトレイドア６は、ばね体８７によって図７矢印Ｒのように閉動方向に常時弾発付勢された状態になる。すなわち、トレイパネル７がばね体８７によって閉動方向に常時弾発付勢されていることにより、図７のようにトレイパネル７の周縁部が上記した開口３２の周囲壁３４と縁枠３５とによって形成されている凹所３７に収まりよく収容され、かつ、その周縁部によって形成されている当り部７３が上記縁枠３５の全体によって形成される受部３８で受け止められてトレイドア６が起立姿勢を保ち、そのような起立姿勢のトレイパネル７によって開口３２が閉じられる。これに対し、トレイドア６がばね体８７の付勢に抗して開動されて図７に仮想線で示した横倒れ姿勢になることによって開口３２が開く。そして、トレイドア６が前倒れ姿勢となって開口３２を開いたときには、図７に仮想線で示したところによって類推することができるように、Ｕ字形状のアーム８２が開口３２の傾斜縁３３を跨いでその開口３２の前側に突出する。そのため、アーム３２がトレイドア６の開動を阻害することはない。
【００３０】
特に、この実施形態では、図８などに示したように、アーム８２の内周部分の外側面に肉盗み箇所８８を形成してあり、トレイドア６が前倒れ姿勢となってアーム８２が開口３２の傾斜縁３３を跨いでその開口３２の前側に突出したときには、その肉盗み箇所８８が、アーム８２の傾斜縁３３と干渉しない位置でその傾斜縁３３に接近して対向するようにしてある。この構成を採用すると、トレイドア６が前倒れ姿勢になったときのアーム８２の位置を、肉盗み箇所８８を設けない場合よりも傾斜縁３３に近付けることが可能になる。そのため、アーム８２の幅の広さを可及的広くしてそのアーム８２の幅方向での曲り剛性を高めることができるにもかかわらず、アーム８２が揺動するのに必要なスペースを狭く抑えることが可能になり、そのことがアーム８２ひいてはトレイドア６の小形化を図ってそれらの大型化を回避する上で有益である。したがって、アーム８２に肉盗み箇所８８を設けることによって、ディスク装置の全体形状が大型化することを回避することができるという利点がある。
【００３１】
この実施形態では、図７に矢印ａで示したように、上記ディスク装置本体５のディスクトレイ５１が前方へ突出してきたときに、そのディスクトレイ５１の前端がパネル支持体８のパネル取付部８１をばね体８７の付勢に抗して前方へ押して開動させた後、図７に仮想線で示したようにそのディスクトレイ５１がパネル取付部８１に乗り上がってトレイドア６を前倒れ姿勢に保つようになっている。また、矢印ｂで示したように、ディスクトレイ５１が開口３２の後方へ後退すると、ばね体８７の付勢によってトレイドア６が閉動してトレイパネル７が凹所３７に嵌まり込み、そのトレイパネル３７の当り部７３が縁枠３５でなる受部３８によって受け止められるようになっている。
【００３２】
この実施形態では、開口３２が下窄まり形状に形成されているものを説明したけれども、開口３２の形状は下窄まり形状に限定されず、一般的な横長矩形であってもよい。そして、その場合には、アーム８２に肉盗み凹所８８を形成する必要がなくなる。
【図面の簡単な説明】
【００３３】
【図１】本発明の実施形態に係るディスク装置の外観斜視図である。
【図２】同ディスク装置の拡大正面図である。
【図３】同ディスク装置の主要要素を示した分解斜視図である。
【図４】フロントパネルとトレイドアとを示した分解斜視図である。
【図５】トレイドアのパネル支持体が取り付けられたフロントパネルの正面図である。
【図６】パネル支持体のパネル取付部とトレイパネルとの取付部構造などを示した縦断側面図である。
【図７】トレイドアの動作を説明するための縦断側面図である。
【図８】パネル支持体のパネル取付部とアームとを示した部分斜視図である。
【符号の説明】
【００３４】
５  ディスク装置本体
６  トレイドア
７  トレイパネル
８  パネル支持体
１０  筐体
３１  前面壁
３２  開口
３３  傾斜縁
３４  開口の周囲壁
３５  縁枠
３７  凹所
３８  受部
５１  ディスクトレイ
７３  当り部
８１  パネル取付部
８２  アーム
８８  肉盗み箇所
【図１】
2006114136.tif 000003
【図２】
2006114136.tif 000004
【図３】
2006114136.tif 000005
【図４】
2006114136.tif 000006
【図５】
2006114136.tif 000007
【図６】
2006114136.tif 000008
【図７】
2006114136.tif 000009
【図８】
2006114136.tif 000010